(57)【特許請求の範囲】
【請求項１】
陰極線管を用いたディスプレイ装置、または、液晶パネル、プラズマディスプレイ及び発光ダイオードからなるディスプレイからなるグループから選択したフラット・スクリーン・ディスプレイ装置のうちのいずれかのディスプレイ装置を備える、ＰＣディスプレイ、データ・ディスプレイ、グラフィックディスプレイ、画像ディスプレイ、テレビジョン受信機、ビデオ・モニタ、ビデオインターホン、ビデオ会議、テレビ電話、買い物用端末からなるグループから選択したいずれかの器具または前記いずれかの器具の組み合わせからなる器具の前記ディスプレイ装置を、壁、柱、パーティション、枠体、骨格構造、フェンス、隔壁及びそれらの組み合わせからなるグループから選択したものが備える平らな表面上へ、複数の弾性を有する電気的な接触子及び各々ラッチを備えた複数のフックを備えたホルダを使用して前記平らな表面に搭載する、ディスプレイ装置の取り付け方法であって、
前記ディスプレイ装置の背面に、前記ホルダの電気的な接触子とフックにそれぞれ対応する複数の電気的な接触子及び複数のソケットを備え、
前記ホルダの前記フックは、該ホルダを前記平らな表面に取り付けた状態で該平らな表面に沿って伸びるように設け、前記ラッチを伸びた方向の先端に備え、
前記ソケットは、前記フックの前記ラッチに引っ掛け得る形状の凸部を備え、
前記ディスプレイ装置の前記平らな表面への取り付けステップは、
前記平らな表面に前記ホルダを固定し、
前記フック上へ前記ソケットを装着し、
そして前記ホルダの電気的な接触子と前記ディスプレイ装置の背面の前記電気的な接触子とを接触させ、前記ホルダの電気的な接触子の弾性による付勢力に抗して前記ディスプレイ装置を前記平らな表面に押し付け、
前記ホルダの前記弾性を有する電気的な接触子が前記ディスプレイ装置の背面の対応する前記電気的な接触子と接触し、前記ホルダの電気的な接触子の前記弾性による付勢力が、前記ホルダと前記ソケットとを前記ディスプレイ装置を前記平らな表面に押し付ける方向で互いに反対方向へ押すように反発力として作用するまで前記ディスプレイ装置を前記平らな表面に押し付けるとともに、
前記ソケットの各凸部が前記フックの先端の各ラッチに引っ掛かるまで前記ディスプレイ装置を前記平らな表面に沿って前記フックの伸びる向きと反対方向へスライドさせ、
前記電気的な接触子のそれぞれの弾性による付勢力と前記ラッチに前記各凸部を引っ掛けたことによって、前記ディスプレイ装置が偶然にでも前記平らな表面から外れないように固定して前記平らな表面に搭載する方法。
【請求項２】
前記平らな表面に装着した前記ホルダから前記ディスプレイ装置を取り外すことができ、そのためのステップが、
前記弾性を有する電気的な接触子の弾性による前記付勢力に抗して前記平らな表面に向けて前記ディスプレイ装置を押し、
すべての前記ラッチからすべての前記凸部を解放して前記フックが前記ソケットから外れるように、前記ソケットの各凸部が前記ラッチから外れる前記フックの伸びる方向に沿って前記ディスプレイ装置をスライドさせて前記ホルダから取り外すものである、請求項１に記載の方法。
【請求項３】
陰極線管を用いたディスプレイ装置、または、液晶パネル、プラズマディスプレイ及び発光ダイオードからなるディスプレイからなるグループから選択したフラット・スクリーン・ディスプレイ装置のうちのいずれかのディスプレイ装置を備える、ＰＣディスプレイ、データ・ディスプレイ、グラフィックディスプレイ、画像ディスプレイ、テレビジョン受信機、ビデオ・モニタ、ビデオインターホン、ビデオ会議、テレビ電話、買い物用端末からなるグループから選択したいずれかの器具または前記いずれかの器具の組み合わせからなる器具の前記ディスプレイ装置を、壁、柱、パーティション、枠体、骨格構造、フェンス、隔壁及びそれらの組み合わせからなるグループから選択したものが備える平らな面に埋め込まれた凹状マウントボックスを使用して前記平らな面に搭載する、ディスプレイ装置の取り付け方法であって、
前記凹状マウントボックスは、格納式のホルダを支持するためのスプリングを用いたガイド・プレートを備え、
前記ガイド・プレートが、格納式のアームとストッパを備え、
該アームとストッパを前記ホルダに回転可能に連結し、そして、
前記アームとストッパを引き出す間は、前記アームの動きをガイドするため及び前記スプリングの圧縮のために、前記アームとストッパを前記ガイド・プレートの対向するスロット内へ伸ばし、そして、
前記ディスプレイ装置を前記平らな面に向けて押し戻す間は、前記アームに対して掛かっている前記スプリングの付勢力を解放して前記ガイド・プレートの内面に向けて前記ホルダを押し進めるものであって、
前記ホルダは、複数の弾性を有する電気的接触子とそれぞれラッチを有する複数のフックを備え、
また前記ディスプレイ装置の背面には、複数の電気的接触子と、それぞれ前記ラッチを有する前記フックにそれぞれ対応する凸部を有する複数のソケットを含み、
そして前記ディスプレイ装置の正面部分がフレームで構成され、
前記ストッパが前記スロットに入り込むまで前記ホルダを前記マウントボックスから引き出し、
前記スプリングが圧縮されて前記アームが伸び、前記アームが前記ガイド・プレートの外表面に対して加圧することによって前記ホルダを引き出し位置にしっかりと掛け止めし、
前記フック上へ前記ソケットを搭載し、そして前記弾性を有する接触子の弾性力に抗して前記ボックスへ向けて前記ディスプレイ装置を押し付け、
前記弾性を有する電気的接触子が対応する前記電気的接触子と接触し、
前記ソケットの各凸部がすべてそれぞれ対応する前記ラッチに引っ掛かるまで、前記ソケットの各凸部が前記フックの各ラッチに引っ掛かる方向へ前記ディスプレイ装置をスライドさせ、
また、前記掛け止めを解放するように前記スロットを通して前記アームを突き出し、前記凹状のマウントボックスに向けて前記格納式のホルダに取り付けられた前記ディスプレイ装置を押し、
そして前記フレームが前記平面に係合するまで前記ガイド・プレートの方へ前記ホルダを押す、
ステップからなる、ディスプレイ装置の取り付け方法。
【請求項４】
請求項３に記載の方法において、前記凹状のマウントボックスから前記ディスプレイ装置を取り外すためのステップが、
前記凹状のマウントボックスから、前記格納式のホルダに取り付けてある前記ディスプレイ装置を、前記ストッパが前記スロットに係合するまで引き外し、前記スプリングが圧縮されて前記アームが伸び、前記アームが前記ガイド・プレートの外表面に対して加圧することによって前記ホルダを引き出し位置にしっかりと掛け止めし、
該伸びたアームが、前記格納式ホルダをしっかりと掴むために前記ガイド・プレートの外表面に対して加圧して前記格納式のホルダに対して前記ディスプレイ装置を押し付け、前記弾性接触子の弾性力に抗してすべての前記ラッチからすべての前記凸部を解放し、
前記フックが前記ソケットから自由になりかつ前記ディスプレイ装置が引き出せるまで前記ソケットの各凸部から前記フックの各ラッチが外れる方向へ前記ディスプレイ装置をスライドさせる方法。
【請求項５】
請求項３に記載の方法において、
前記スプリングを用いたガイド・プレートは、水平調整用に形成されたネジ穴を通したネジによって前記ボックスに取り付けられ、
そして前記ステップが、
前記ボックス内部の前記スプリングを用いたガイド・プレートの水平を調節するための前記ネジを緩め、そして、
前記スプリングを用いたガイド・プレートの前記水平を得るために前記ネジを固定するステップを含む方法。
【請求項６】
陰極線管、液晶、プラズマ及び発光ダイオードのいずれかを用いてなるフラット・スクリーン・ディスプレイ装置であって、ＰＣディスプレイ、データ・ディスプレイ、グラフィックディスプレイ、画像ディスプレイ、テレビジョン受信機、ビデオ・モニタ、ビデオインターホン、ビデオ会議機、テレビ電話、買物端末機、及びそれらの複合機からなるグループから選択した器具を含む装置を、壁、柱、パーティション、フレームワーク、骨格構造、フェンス、隔壁またそれらの組み合わせからなるグループから選択した平らな表面へ埋め込まれたホルダに取り付ける方法であって、
前記ホルダは複数の弾性を有する電気的接触子と各々ラッチ付きの複数のフックを含み、また、前記ディスプレイ装置の背面には多くの対応する電気的な接触子を備え、また各々ラッチ付きの複数のフックに対応して各々凸部を備えるソケットを備え、
前記ディスプレイ装置は、前記ソケットを前記フックへ取り付けることによって前記ホルダに取り付け、前記弾性を有する電気的接触子の弾性力に抗して前記ホルダへ前記ディスプレイ装置を押し付け、前記弾性を有する電気的接触子が対応する前記ディスプレイ装置の背面の電気的接触子と係合し、前記各凸部がすべて前記ラッチに引っ掛かるまで、前記フックの向きと反対方向へ前記ディスプレイ装置をスライドさせ、前記弾性を有する電気的接触子の弾性力で前記ディスプレイ装置を前記ホルダから遠ざかる方向へ付勢して前記ディスプレイ装置が前記ホルダから偶然にでも前記平らな表面から外れないように固定する方法。
【請求項７】
請求項６に記載の方法において、前記ディスプレイ装置を前記ホルダから取り除くことができる方法であって、
前記ホルダへ前記ディスプレイ装置を押し付けることによって、前記弾性接触子の弾性力に抗してすべての前記ラッチからすべての前記凸部を解放し、そして前記フックが前記ソケットから解放されるまで、前記フックの向きに沿って前記ディスプレイ装置をスライドさせることによって、前記ディスプレイ装置を取り外せるようにした方法。
【請求項８】
フラット・スクリーン・ディスプレイ装置の組み合わせ装置であって、
陰極線管、液晶、プラズマ及び発光ダイオードのいずれかを用いてなり、ＰＣディスプレイ、データ・ディスプレイ、グラフィックディスプレイ、画像ディスプレイ、テレビジョン受信機、ビデオ・モニタ、ビデオインターホン、ビデオ会議機、テレビ電話、買物端末機、及びそれの複合機からなるグループから選択した器具を含む装置を、凹状のマウントボックス中へ搭載するものであり、
前記凹状のマウントボックスは、壁、柱、パーティション、フレームワーク、骨格構造、フェンス、隔壁またそれらの組み合わせからなるからなるグループから選択したものの平らな表面へ埋め込まれたホルダに取り付けるものであって、
前記凹状のマウントボックスが複数のスプリングを用いたガイド・プレートを含み、前記複数の各スプリングが、コイル部分と、該コイル部分から反対方向へ伸びて前記ガイド・プレートに押し付ける一対のアームと、これらアームの端部それぞれに形成したストッパを備え、複数の各スプリングのアーム部分のそれぞれをその取り付け部分において回転可能に連結し、取り付けてなる格納式ホルダを前記凹状のマウントボックスで支持し、
前記ストッパは前記アームの端部から前記ガイド・プレートから離れる方向へ伸ばして形成し、
そして前記アームとストッパを前記凹状のマウントボックスから引き出す間は、前記アームの動きをガイドするために、前記ストッパが前記スロットに係合するまで前記アームとストッパを前記ガイド・プレートの補助的なスロット内へ伸ばし、そして、
前記スプリングが圧縮され、そして、前記アームが伸びて前記ガイド・プレートの外面に対して力を掛け、前記ディスプレイ装置を前記平面に向けて押し戻す間、前記ホルダを引き出し位置にしっかりと掛け止めして前記格納式ホルダを引き出し位置に保ち、
前記格納式ホルダは、複数の弾性を有する電気的接触子及びそれぞれラッチを備える複数のフックを備え、また、前記ディスプレイ装置の背面には多くの対応する電気的な接触子と複数のソケットを備え、各ソケットは前記各フックにマウントするために対応する凸部を備えており、
前記ディスプレイ装置を前記格納式ホルダへ向けて押すことにより、前記弾性を有する電気的接触子の弾性力に抗して引き出し位置に保ち、そして前記フックの向きと反対の方向へ前記ディスプレイ装置を、前記弾性を有する電気的接触子が前記対応する電気的接触子と係合するまでスライドさせ、前記各凸部をすべて前記ラッチに引っ掛け、前記弾性を有する電気的接触子の弾性力で付勢して固定し、
前記ディスプレイ装置の正面部分はフレームを含み、
また前記格納式ホルダに取り付けた前記ディスプレイ装置の前記掛け止めを解放するように前記スロットを通して前記アームを突き出し、前記ディスプレイ装置を前記凹状のマウントボックスに向けて押し、
そして前記フレームが前記平面に係合するまで前記ガイド・プレートの方へ前記格納式ホルダを押して前記ディスプレイ装置の前記掛け止めを解放する組み合わせ装置。
【請求項９】
請求項８に記載のフラット・スクリーン・ディスプレイ装置の組み合わせ装置において、
前記格納式ホルダに取り付けられた前記ディスプレイ装置を、前記ストッパが前記スロットに係合するまで引き出すことにより前記マウントボックスから取り除くことができ、
前記スプリングが圧縮されて前記アームが伸び、前記アームが前記ガイド・プレートの外表面に対して加圧することによって前記ホルダを引き出し位置にしっかりと掛け止めし、
前記引き出した位置に保持された格納式ホルダに取り付けられた前記ディスプレイ装置が、前記弾性を有する電気的接触子の弾性力に抗して前記各凸部を前記各ラッチから解放し、そして前記フックの向きに沿って前記ディスプレイ装置をスライドさせ、前記ソケットから前記フックを外し、前記ディスプレイ装置を取り外し可能としてなる組み合わせ装置。
【請求項１０】
請求項８に記載のフラット・スクリーン・ディスプレイ装置の組み合わせ装置において、前記ガイド・プレートは、水平調整用に形成されたネジ穴を通したネジを緩めて前記ボックスに取り付けられている組み合わせ装置。
【請求項１１】
請求項８に記載のフラット・スクリーン・ディスプレイ装置の組み合わせ装置において、前記ディスプレイ装置を掛け止めする力が前記電気的接触子の弾性力より大きい組み合わせ装置。
【発明の詳細な説明】
【技術分野】
【０００１】
本発明は、ＣＲＴ、ＬＣＤ、ＰＤＰ（プラズマ・ディスプレイ・モニター）その他のフラット・スクリーン・ディスプレイ装置の装備及び接続に関する。また本発明は、ビデオインターホン・システムで使用されるビデオ・インターホン・モニターの接続に関する。
【背景技術】
【０００２】
テレビジョン受信機のようなフラット・スクリーン・ディスプレイ装置、ＰＣ用ディスプレイやモニター等のディスプレイ装置を壁に取り付ける際、壁から離して取り付けるためにブラケットとホルダを使用することがある。電源線やビデオ・オーディオ・コネクター等のケーブルの接続及びそれらのコネクターのためのスペースを考慮に入れると、壁から離す距離は、例えば５ｃｍ〜１０ｃｍ（２〜４インチ）であり、マウント、ホルダ、備品及びディスプレイ装置の背面側にあるケーブルが見えてしまうような装備状態が存在することは、アパートやオフィスのインテリアとしては好ましくない。
【発明の開示】
【発明が解決しようとする課題】
【０００３】
ディスプレイ装置、例えば面で取り付けるビデオ・インターホン・モニターは、壁面にネジ等の固着用具を使用してしっかりと取り付ける。くぼみに取り付ける他のタイプのビデオ・インターホン・モニターは、背面側ケースを壁へ埋め込んで装着する。すべてのそのようなビデオインターホン・モニタ・ユニット中で、ケーブルはビデオインターホン装置の内部端子に接続し、またそのカバーは、装置自体、あるいは背面側ケースへネジ止めする。背面側のケースに装置カバーあるいは装置自体を固定するネジは、インテリアとしては好ましくない。建築家とインテリアデザイナーからは採用を反対されるであろう。さらに、既に取り付けられているフラット・スクリーン・ディスプレイ装置及び／またはビデオ・インターホン・モニターは、どのようなものでも、使用に供するために移動させるには、ワイヤー、ケーブル及びプラグの、マウント、ホルダ、固定具、壁及び／または背面側ケースからの分離及び装置の機械的な分解が必要である。これは時間が掛かるだけでなく厄介な作業である。
【特許文献１】特開平０５−２３６４７８
【０００４】
本発明は、ＣＲＴ、ＬＣＤ、プラズマ・ディスプレイ、ＬＥＤその他のフラット・スクリーン・ディスプレイ装置であって、ＰＣディスプレイ、データ・ディスプレイ、グラフィックディスプレイ、画像ディスプレイ、テレビジョン受信機、ビデオ・モニタ、ビデオインターホン、ビデオ会議、テレビ電話、ショッピング端末、それらを組み合わせた装置のような各種装置内に含まれるフラット・スクリーン・ディスプレイ装置を、壁あるいは他の面上に及び／または壁あるいは他の面内に埋め込んだ背面側ケースへ、目に見えるネジその他の固定ホルダ、備品及び／または固定具を使わずに取り付けるための方法と装置を提供することを目的とする。
【０００５】
本発明の他の目的は、ビデオインターホン・ユニットあるいはビデオインターホン・ユニットの背面上に取り付けた相互接触を介して、ビデオインターホン・ユニットあるいはフラット・スクリーン・ディスプレイ装置へのすべての電気的信号線の接続のための、弾性的接触を伴うホルダを提供し、ディスプレイ装置やビデオインターホン・ユニットの除去や取り付けを、個々のワイヤーあるいはディスプレイ装置間のコネクターあるいはビデオインターホン・ユニット自体を、接続あるいは分離する必要がなく行えるようにするものである。バネ弾性による接触は、さらに、ホルダからディスプレイ装置が偶然に外れるのを防ぐための留め金にディスプレイ装置を掛け止め
力を与える。
【０００６】
本発明の他の目的は、ホルダからスプリングでガイドされたマウント・プレート内へ伸びる一対のスプリングを介して、該スプリングでガイドされたマウント・プレート上に格納式ホルダを取り付け、壁等の平らな面内へ装着し、埋め込み、壁表面へのバネ作用によって、ネジ等の目に見える部品その他の固着具を使用しないでしっかりとディスプレイ装置を取り付け得る背面側の箱を提供することである。
【課題を解決するための手段】
【０００７】
そのため本発明の請求項１に係る方法は、
陰極線管を用いたディスプレイ装置、または、液晶パネル、プラズマディスプレイ及び発光ダイオードからなるディスプレイからなるグループから選択したフラット・スクリーン・ディスプレイ装置のうちのいずれかのディスプレイ装置を備える、ＰＣディスプレイ、データ・ディスプレイ、グラフィックディスプレイ、画像ディスプレイ、テレビジョン受信機、ビデオ・モニタ、ビデオインターホン、ビデオ会議、テレビ電話、買い物用端末からなるグループから選択したいずれかの器具または前記いずれかの器具の組み合わせからなる器具の前記ディスプレイ装置を、壁、柱、パーティション、枠体、骨格構造、フェンス、隔壁及びそれらの組み合わせからなるグループから選択したものが備える平らな表面上へ、複数の弾性を有する電気的な接触子及び各々ラッチを備えた複数のフックを備えたホルダを使用して前記平らな表面に搭載する、ディスプレイ装置の取り付け方法であって、
前記ディスプレイ装置の背面に、前記ホルダの電気的な接触子とフックにそれぞれ対応する複数の電気的な接触子及び複数のソケットを備え、
前記ホルダの前記フックは、該ホルダを前記平らな表面に取り付けた状態で該平らな表面に沿って伸びるように設け、前記ラッチを伸びた方向の先端に備え、
前記ソケットは、前記フックの前記ラッチに引っ掛け得る形状の凸部を備え、
前記ディスプレイ装置の前記平らな表面への取り付けステップは、
前記平らな表面に前記ホルダを固定し、
前記フック上へ前記ソケットを装着し、
そして前記ホルダの電気的な接触子と前記ディスプレイ装置の背面の前記電気的な接触子とを接触させ、前記ホルダの電気的な接触子の弾性による付勢力に抗して前記ディスプレイ装置を前記平らな表面に押し付け、
前記ホルダの前記弾性を有する電気的な接触子が前記ディスプレイ装置の背面の対応する前記電気的な接触子と接触し、前記ホルダの電気的な接触子の前記弾性による付勢力が、前記ホルダと前記ソケットとを前記ディスプレイ装置を前記平らな表面に押し付ける方向で互いに反対方向へ押すように反発力として作用するまで前記ディスプレイ装置を前記平らな表面に押し付けるとともに、
前記ソケットの各凸部が前記フックの先端の各ラッチに引っ掛かるまで前記ディスプレイ装置を前記平らな表面に沿って前記フックの伸びる向きと反対方向へスライドさせ、
前記電気的な接触子のそれぞれの弾性による付勢力と前記ラッチに前記各凸部を引っ掛けたことによって、前記ディスプレイ装置が偶然にでも前記平らな表面から外れないように固定して前記平らな表面に搭載する。
【０００８】
同請求項２に係るものは、請求項１に記載の方法において、
前記平らな表面に装着した前記ホルダから前記ディスプレイ装置を取り外すことができ、そのためのステップが、
前記弾性を有する電気的な接触子の弾性による前記付勢力に抗して前記平らな表面に向けて前記ディスプレイ装置を押し、
すべての前記ラッチからすべての前記凸部を解放して前記フックが前記ソケットから外れるように、前記ソケットの各凸部が前記ラッチから外れる前記フックの伸びる方向に沿って前記ディスプレイ装置をスライドさせて前記ホルダから取り外す。
【０００９】
同請求項３に係るものは、
陰極線管を用いたディスプレイ装置、または、液晶パネル、プラズマディスプレイ及び発光ダイオードからなるディスプレイからなるグループから選択したフラット・スクリーン・ディスプレイ装置のうちのいずれかのディスプレイ装置を備える、ＰＣディスプレイ、データ・ディスプレイ、グラフィックディスプレイ、画像ディスプレイ、テレビジョン受信機、ビデオ・モニタ、ビデオインターホン、ビデオ会議、テレビ電話、買い物用端末からなるグループから選択したいずれかの器具または前記いずれかの器具の組み合わせからなる器具の前記ディスプレイ装置を、壁、柱、パーティション、枠体、骨格構造、フェンス、隔壁及びそれらの組み合わせからなるグループから選択したものが備える平らな面に埋め込まれた凹状マウントボックスを使用して前記平らな面に搭載する、ディスプレイ装置の取り付け方法であって、
前記凹状マウントボックスは、格納式のホルダを支持するためのスプリングを用いたガイド・プレートを備え、
前記ガイド・プレートが、格納式のアームとストッパを備え、
該アームとストッパを前記ホルダに回転可能に連結し、そして、
前記アームとストッパを引き出す間は、前記アームの動きをガイドするため及び前記スプリングの圧縮のために、前記アームとストッパを前記ガイド・プレートの対向するスロット内へ伸ばし、そして、
前記ディスプレイ装置を前記平らな面に向けて押し戻す間は、前記アームに対して掛かっている前記スプリングの付勢力を解放して前記ガイド・プレートの内面に向けて前記ホルダを押し進めるものであって、
前記ホルダは、複数の弾性を有する電気的接触子とそれぞれラッチを有する複数のフックを備え、
また前記ディスプレイ装置の背面には、複数の電気的接触子と、それぞれ前記ラッチを有する前記フックにそれぞれ対応する凸部を有する複数のソケットを含み、
そして前記ディスプレイ装置の正面部分がフレームで構成され、
前記ストッパが前記スロットに入り込むまで前記ホルダを前記マウントボックスから引き出し、
前記スプリングが圧縮されて前記アームが伸び、前記アームが前記ガイド・プレートの外表面に対して加圧することによって前記ホルダを引き出し位置にしっかりと掛け止めし、
前記フック上へ前記ソケットを搭載し、そして前記弾性を有する接触子の弾性力に抗して前記ボックスへ向けて前記ディスプレイ装置を押し付け、
前記弾性を有する電気的接触子が対応する前記電気的接触子と接触し、
前記ソケットの各凸部がすべてそれぞれ対応する前記ラッチに引っ掛かるまで、前記ソケットの各凸部が前記フックの各ラッチに引っ掛かる方向へ前記ディスプレイ装置をスライドさせ、
また、前記掛け止めを解放するように前記スロットを通して前記アームを突き出し、前記凹状のマウントボックスに向けて前記格納式のホルダに取り付けられた前記ディスプレイ装置を押し、
そして前記フレームが前記平面に係合するまで前記ガイド・プレートの方へ前記ホルダを押す、
ステップからなる。
【００１０】
同請求項４に係るものは、請求項３に記載の方法において、
前記凹状のマウントボックスから前記ディスプレイ装置を取り外すためのステップが、
前記凹状のマウントボックスから、前記格納式のホルダに取り付けてある前記ディスプレイ装置を、前記ストッパが前記スロットに係合するまで引き外し、前記スプリングが圧縮されて前記アームが伸び、前記アームが前記ガイド・プレートの外表面に対して加圧することによって前記ホルダを引き出し位置にしっかりと掛け止めし、
該伸びたアームが、前記格納式ホルダをしっかりと掴むために前記ガイド・プレートの外表面に対して加圧して前記格納式のホルダに対して前記ディスプレイ装置を押し付け、前記弾性接触子の弾性力に抗してすべての前記ラッチからすべての前記凸部を解放し、
前記フックが前記ソケットから自由になりかつ前記ディスプレイ装置が引き出せるまで前記ソケットの各凸部から前記フックの各ラッチが外れる方向へ前記ディスプレイ装置をスライドさせる方法である。
【００１１】
同請求項５に係るものは、請求項３に記載の方法において、
前記スプリングを用いたガイド・プレートは、水平調整用に形成されたネジ穴を通したネジによって前記ボックスに取り付けられ、
そして前記ステップが、
前記ボックス内部の前記スプリングを用いたガイド・プレートの水平を調節するための前記ネジを緩め、そして、
前記スプリングを用いたガイド・プレートの前記水平を得るために前記ネジを固定するステップを含む方法である。
【００１２】
同請求項６に係るものは、
陰極線管、液晶、プラズマ及び発光ダイオードのいずれかを用いてなるフラット・スクリーン・ディスプレイ装置であって、ＰＣディスプレイ、データ・ディスプレイ、グラフィックディスプレイ、画像ディスプレイ、テレビジョン受信機、ビデオ・モニタ、ビデオインターホン、ビデオ会議機、テレビ電話、買物端末機、及びそれらの複合機からなるグループから選択した器具を含む装置を、壁、柱、パーティション、フレームワーク、骨格構造、フェンス、隔壁またそれらの組み合わせからなるグループから選択した平らな表面へ埋め込まれたホルダに取り付ける方法であって、
前記ホルダは複数の弾性を有する電気的接触子と各々ラッチ付きの複数のフックを含み、また、前記ディスプレイ装置の背面には多くの対応する電気的な接触子を備え、また各々ラッチ付きの複数のフックに対応して各々凸部を備えるソケットを備え、
前記ディスプレイ装置は、前記ソケットを前記フックへ取り付けることによって前記ホルダに取り付け、前記弾性を有する電気的接触子の弾性力に抗して前記ホルダへ前記ディスプレイ装置を押し付け、前記弾性を有する電気的接触子が対応する前記ディスプレイ装置の背面の電気的接触子と係合し、前記各凸部がすべて前記ラッチに引っ掛かるまで、前記フックの向きと反対方向へ前記ディスプレイ装置をスライドさせ、前記弾性を有する電気的接触子の弾性力で前記ディスプレイ装置を前記ホルダから遠ざかる方向へ付勢して前記ディスプレイ装置が前記ホルダから偶然にでも前記平らな表面から外れないように固定する方法である。
【００１３】
同請求項７に係るものは、請求項６に記載の方法において、前記ディスプレイ装置を前記ホルダから取り除くことができる方法であって、
前記ホルダへ前記ディスプレイ装置を押し付けることによって、前記弾性接触子の弾性力に抗してすべての前記ラッチからすべての前記凸部を解放し、そして前記フックが前記ソケットから解放されるまで、前記フックの向きに沿って前記ディスプレイ装置をスライドさせることによって、前記ディスプレイ装置を取り外せるようにした方法である。
【００１４】
同請求項８に係るフラット・スクリーン・ディスプレイ装置の組み合わせ装置は、
フラット・スクリーン・ディスプレイ装置の組み合わせ装置であって、
陰極線管、液晶、プラズマ及び発光ダイオードのいずれかを用いてなり、ＰＣディスプレイ、データ・ディスプレイ、グラフィックディスプレイ、画像ディスプレイ、テレビジョン受信機、ビデオ・モニタ、ビデオインターホン、ビデオ会議機、テレビ電話、買物端末機、及びそれの複合機からなるグループから選択した器具を含む装置を、凹状のマウントボックス中へ搭載するものであり、
前記凹状のマウントボックスは、壁、柱、パーティション、フレームワーク、骨格構造、フェンス、隔壁またそれらの組み合わせからなるからなるグループから選択したものの平らな表面へ埋め込まれたホルダに取り付けるものであって、
前記凹状のマウントボックスが複数のスプリングを用いたガイド・プレートを含み、前記複数の各スプリングが、コイル部分と、該コイル部分から反対方向へ伸びて前記ガイド・プレートに押し付ける一対のアームと、これらアームの端部それぞれに形成したストッパを備え、複数の各スプリングのアーム部分のそれぞれをその取り付け部分において回転可能に連結し、取り付けてなる格納式ホルダを前記凹状のマウントボックスで支持し、
前記ストッパは前記アームの端部から前記ガイド・プレートから離れる方向へ伸ばして形成し、
そして前記アームとストッパを前記凹状のマウントボックスから引き出す間は、前記アームの動きをガイドするために、前記ストッパが前記スロットに係合するまで前記アームとストッパを前記ガイド・プレートの補助的なスロット内へ伸ばし、そして、
前記スプリングが圧縮され、そして、前記アームが伸びて前記ガイド・プレートの外面に対して力を掛け、前記ディスプレイ装置を前記平面に向けて押し戻す間、前記ホルダを引き出し位置にしっかりと掛け止めして前記格納式ホルダを引き出し位置に保ち、
前記格納式ホルダは、複数の弾性を有する電気的接触子及びそれぞれラッチを備える複数のフックを備え、また、前記ディスプレイ装置の背面には多くの対応する電気的な接触子と複数のソケットを備え、各ソケットは前記各フックにマウントするために対応する凸部を備えており、
前記ディスプレイ装置を前記格納式ホルダへ向けて押すことにより、前記弾性を有する電気的接触子の弾性力に抗して引き出し位置に保ち、そして前記フックの向きと反対の方向へ前記ディスプレイ装置を、前記弾性を有する電気的接触子が前記対応する電気的接触子と係合するまでスライドさせ、前記各凸部をすべて前記ラッチに引っ掛け、前記弾性を有する電気的接触子の弾性力で付勢して固定し、
前記ディスプレイ装置の正面部分はフレームを含み、
また前記格納式ホルダに取り付けた前記ディスプレイ装置の前記掛け止めを解放するように前記スロットを通して前記アームを突き出し、前記ディスプレイ装置を前記凹状のマウントボックスに向けて押し、
そして前記フレームが前記平面に係合するまで前記ガイド・プレートの方へ前記格納式ホルダを押して前記ディスプレイ装置の前記掛け止めを解放する組み合わせ装置である。
【００１５】
同請求項９に係るものは、請求項８に記載のフラット・スクリーン・ディスプレイ装置の組み合わせ装置において、
前記格納式ホルダに取り付けられた前記ディスプレイ装置を、前記ストッパが前記スロットに係合するまで引き出すことにより前記マウントボックスから取り除くことができ、
前記スプリングが圧縮されて前記アームが伸び、前記アームが前記ガイド・プレートの外表面に対して加圧することによって前記ホルダを引き出し位置にしっかりと掛け止めし、
前記引き出した位置に保持された格納式ホルダに取り付けられた前記ディスプレイ装置が、前記弾性を有する電気的接触子の弾性力に抗して前記各凸部を前記各ラッチから解放し、そして前記フックの向きに沿って前記ディスプレイ装置をスライドさせ、前記ソケットから前記フックを外し、前記ディスプレイ装置を取り外し可能としてなる組み合わせ装置である。
【００１６】
同請求項１０に係るものは、請求項８に記載のフラット・スクリーン・ディスプレイ装置の組み合わせ装置において、前記ガイド・プレートは、水平調整用に形成されたネジ穴を通したネジを緩めて前記ボックスに取り付けられている装置である。
【００１７】
同請求項１１に係るものは、請求項８に記載のフラット・スクリーン・ディスプレイ装置の組み合わせ装置において、前記ディスプレイ装置を掛け止めする力が前記電気的接触子の弾性力より大きい装置である。
【発明の効果】
【００１９】
本発明によれば、ＣＲＴ、ＬＣＤ、プラズマ・ディスプレイ、ＬＥＤその他のフラット・スクリーン・ディスプレイ装置であって、ＰＣディスプレイ、データ・ディスプレイ、グラフィックディスプレイ、画像ディスプレイ、テレビジョン受信機、ビデオ・モニタ、ビデオインターホン、ビデオ会議、テレビ電話、ショッピング端末、それらを組み合わせた装置のような各種装置内に含まれるフラット・スクリーン・ディスプレイ装置を、壁あるいは他の面上に及び／または壁あるいは他の面内に埋め込んだ背面側ケースへ、目に見えるネジその他の固定ホルダ、備品及び／または固定具を使わずに取り付けることができる。
【発明を実施するための最良の形態】
【００２０】
以下本発明を実施するための最良の形態を、図に示す実施例を参照して説明する。本発明の既述の及び他の目的及び特徴は、添付図面を参照した本発明の好ましい実施例の以下の記述から明白になるであろう。
【実施例】
【００２１】
図１（Ａ）は、面状の搭載装置であるホルダ２の表面へ取り付けるためのフラット・スクリーン・ディスプレイ１００Ｓを示す。後述するディスプレイ装置は、フラット・スクリーン・ディスプレイ、例えばＣＲＴ（陰極線管）、ＬＣＤ（液晶ディスプレイ）、ＰＤＭ（プラズマ・ディスプレイ・モニター）あるいはＰＣディスプレイ・モニターの中で使用されるようなＬＥＤ（発光ダイオード）のようなものや、またあるいはビデオ・モニタやテレビジョン受信機、ビデオのインターホン監視ステーション、テレビ電話装置、ビデオ会議ターミナルあるいは買い物用ターミナル、データやグラフィックスの表示に使用する装置、それらの組み合わせで表示のために使用される他のディスプレイ装置である。後述する面ディスプレイ装置は図１（Ａ）中で示すディスプレイ装置１００Ｓであり、壁等の平らな表面上にその全体が表面から突出するようにマウントする。後述する凹所取り付け型ディスプレイ装置は、図２（Ａ）中で示すディスプレイ装置１００Ｒであり、壁等の平らな面にマウントする。そのため、ディスプレイ装着の背面側の部分は、表面に設けた凹所に埋設し、あるいは壁に埋め込んだ背面箱（以下、マウントボックスという）６内へ装着し、またそれによって、正面の枠部分だけの平面及び／またはディスプレイ装置の正面の部分だけが突出し、あるいは、壁面等と面一になる。以下の記述での壁とは、文字通りの壁だけでなく、柱、パーティション、フレームワーク、骨格構造、フェンス、隔壁あるいはディスプレイ装置１００Ｓあるいは凹んだディスプレイ装置１００Ｒによって占められた他の平面を含む。
【００２２】
図１（Ａ）のホルダ２は、４つの掛け金で締めるフック５及び１つの弾性接触装置３を含み、図１（Ｂ）に示すように、壁１に設けた取り付け用の穴２Ａにネジ２Ｃによって取り付けてある。弾性接触装置３の上部及び下側に示した３つの穴２Ｂを２セット用い、シングルまたはダブルのギャング箱として周知の電気的な箱の上にホルダを搭載する。電気的な箱（図示していない）は電気的な信号線を含み、弾性接触装置３のそれぞれの接点３Ａに接続する。最後に、２つの電気的な弾性接触を１つの電気回路に備えることが必要である。電気箱を使用しない場合、送電管あるいは他のタイプの導管は、弾性接触装置３へのワイヤーを担持できる。図１（Ｂ）で示すディスプレイ装置１００Ｓや図２（Ｂ）のディスプレイ装置１００Ｒの背面１１１Ｒの４つのソケット１５は、図３（Ａ）、（Ｂ）及び（Ｃ）で示すように、ホルダ２あるいは２Ｒの４つのフック５を補助し、ソケット１５を備えたディスプレイ装置１００Ｓをフックと一線上に配し（図３（Ａ））、フック５に対して押し付け（図５（Ｂ））、下方へスライドさせる（図５（Ｃ））場合、ソケット１５の内部のボス部、すなわち凸部１５Ａは、フック５のラッチ５Ａへディスプレイ装置をロックする。ボス部となる半円形の凸部１５Ａは、棒状に形成するが、長方形や三角形あるいはフック５のラッチ５Ａに対応する他の断面形状とすることができる。
【００２３】
図３（Ａ）の弾性接触装置３を構成する拡張性の弾性接触体３Ａは、図３（Ｂ）中では圧縮された状態３ＡＡで示され、一対の補助的な接触子１３Ａ（図３（Ｃ）中に示す）を形成し、ディスプレイ装置１００Ｓあるいは１００Ｒの背面１１１Ｒ上に組み付けるか埋め込む。図３（Ｃ）中に示す圧縮した弾性接触装置３ＡＡは、ディスプレイ装置１００Ｓあるいは１００Ｒ全体をホルダ２から遠ざけるように付勢する。それにより、フック５のラッチ５Ａへソケット１５の凸部１５Ａをしっかり固定し、ホルダ２からディスプレイ装置１００Ｓあるいは１００Ｒが偶然に離脱することを防ぐ。
【００２４】
本実施例の接触子１３Ａは、ディスプレイ装置１００Ｓ及び１００Ｒのリヤカバー１１１内側にマウントされた銅のパターンからなるプリント回路板１４のめっきした表面であり、弾性接触装置３のサイズ及び厚さに対応させた切り欠き１１１Ｃを介してアクセスされる。しかしながら、異なるタイプの固定マウントや埋め込み型の電気的な接触子でも代わりに使用することができる。
【００２５】
弾性を有する弾性接触装置３Ａ、フック５及びソケット１５はすべて垂直方向に拡大して示してあり、ディスプレイ装置１００Ｓあるいは１００Ｒを取り付けるための上向きのフックを備え、フック５上にソケット１５をマウントすることによって搭載してあり、そしてディスプレイ装置を弾性接触装置３Ａに押しつけること及びホルダ２へディスプレイ装置をロックするために、下方へのディスプレイ装置をスライドさせ、それにより、凸部１５Ａがフック５のラッチ５Ａによって引っ掛けられる。しかしながら、弾性接触装置３Ａ、フック５及びソケット１５を反対方向（上下逆）で垂直に拡張することが明らかに可能で、それによって、ホルダにディスプレイ装置１００Ｓあるいは１００Ｒを掛け、上方へスライドさせることができる。ソケット１５、スプリング弾性接触装置３及びフック５を左右方向に拡張することは同様に可能であり、そのために、ディスプレイ装置を側面で掛け止めることができる。このような側面あるいは上方での掛け止めは、接触子１３Ａを補助的な弾性接触装置３Ａと関係付け、そしてホルダ２あるいは２Ｒへディスプレイ装置１００Ｓあるいは１００Ｒを安全に固定可能とする。これは、図３（Ａ）、（Ｂ）及び（Ｃ）の中で示されるプロセスと同様である。ただし方向が反対方向（上方）になるか左右方向（脇方向）になる。
【００２６】
同様に、弾性接触装置３Ａは、ホルダ２あるいは２Ｒと、またディスプレイ装置１００Ｓまたは１００Ｒの間の電気的な信号の相互伝達を提供する。また、ホルダ２あるいは２Ｒのフック５のラッチ５Ａへディスプレイ装置１００Ｓあるいは１００Ｒの凸部１５Ａを固定するための弾性力を与える。
【００２７】
図１（Ａ）及び（Ｂ）に示した好ましい実施例は４つのフック５、４つのソケット１５及び１つの単接点の弾性接触装置３を含んでいるが、２つのフック５を使用することも可能である。例えば、ホルダ２の垂直方向の中心の周りで、２つの弾性接触装置３を伸ばし、１つはホルダ２の頂部で、他方はホルダ２の図示しない底部で使用する。あるいは、３つあるいは６つのフック５と何個でも弾性接触装置３を使用することが可能であり、様々なサイズ、形、重量、構造のディスプレイ装置を、対応するディスプレイ装置の背面上の補助的な接触子１３Ａ及びソケット１５を備えることによって提供できる。
【００２８】
図２（Ａ）、（Ｂ）は凹型のディスプレイ装置１００Ｒを示す。この装置は、図１（Ａ）、（Ｂ）の表面型ディスプレイ装置１００Ｓに似ているが、ディスプレイ装置１００Ｒの本体前面カバー１１２を囲む縁または構造が異なっている。リム１１３は、後述するように、しっかりと壁１の表面に押し付けられ、マウントボックス及びその周端部をカバーすべきである。そうでなければ、図２（Ａ）、（Ｂ）中に示される格納式ホルダ２Ｒを用いる。このホルダ２Ｒは、図１（Ａ）、（Ｂ）に示すホルダ２と類似するが、半円形のフック２Ｈは似ていない。フック２Ｈは、図４（Ａ）に示すスプリング・ガイド・プレート２０に対して４個のスプリング２１を通して格納式ホルダ２Ｒを取り付けるためのものであり、壁１の穴２Ａにネジ２Ｃを使用して取り付けるホルダ２の代わりになる。格納式ホルダ２Ｒへ凹型のディスプレイ装置１００Ｒを搭載する工程は、ホルダ２上への面型のディスプレイ装置１００Ｓの搭載工程と同じである。
【００２９】
４つのスプリング２１で支持した格納式ホルダ２Ｒを図４（Ａ）中に示す。それは４個の半円形のフック２Ｈにより格納式ホルダ２Ｒに取り付ける。取り付ける位置は、格納式ホルダ２Ｒの背面２ＲＲである。コイル部分２１Ｃと２つの拡張腕部２１Ａを含むスプリング２１は、各々ストッパ２１Ｓで端部を塞止してある。図６（Ａ）で示したように、半円形のフック２Ｈは、コイル２１Ｃのスプリング２１を取り付けるため、半円形状の軸２ＨＡの周りでスプリング２１を自由に回転できるようにしている。４つのスプリング２１の各々の２つのアーム２１Ａは、図４（Ａ）、（Ｂ）、図５（Ａ）、（Ｂ）、図６（Ａ）、（Ｂ）中で示すスプリング・ガイド・プレート２０の４つのスロット２３に支持する。スプリング・ガイド・プレート２０は、格納式ホルダ２Ｒの固定状態を支持するために、４本のネジ２５を使用して、図７（Ａ）に示すマウントボックス６に取り付け、図７（Ｂ）及び（Ｃ）で示す４つの拡張スプリング２１を通してマウントボックス６から引き抜き、あるいは押し戻すことができるようにしてある。図７（Ａ）に示すスプリング・ガイド・プレート２０中の切り欠き２３Ａは、スロット２３中のスプリング２１の組み立てを単純化するために設けてある。
【００３０】
図２（Ａ）の凹状マウントボックス６は、縁１２を壁面と面一になるように壁１へ埋め込んである。しかしながら実際上は、埋められたあるいは埋め込まれたマウントボックスは、完全に壁１の表面と面一にはならない。また、完全に水平にもならない。図７（Ａ）はマウントボックス６及びスプリング・ガイド・プレート２０の分解組立図を示す。この図では、角のある楕円形のネジ穴２２を通してスプリング・ガイド・プレート２０どのように水平に調節することができるかを例示す。この例では、ホルダの水平を数度まで修正できる。埋め込まれたボックス６内部（非水平）のスプリング・ガイド・プレート２０の調節により、例えば±３°修正できる。それには、図６（Ａ）、（Ｂ）中で示したロック２５を使用してネジ止めし、調整された位置へスプリング・ガイド・プレートをロックする。壁１の表面から外に突出するようにマウントボックス６を搭載すべきでないが、その一方で、ボックス６は一般に壁の内部に埋められて搭載され、不完全であるが壁１の表面と縁１２を面一にする。壁１の表面でボックス６の非水平性を補うため、格納式ホルダ２Ｒとスプリング・ガイド・プレート２０の間に伸びる４つのスプリング２１は、壁１にディスプレイ装置１００Ｒに必要とされる柔軟な取り付ける方法を供給する。どのようなネジやファスナーあるいは固定具も見えることは無い。
【００３１】
図５（Ｃ）のコイル２１Ｃのスプリング２１は、完全にコイルされた状態で示されているが、格納式ホルダ２Ｒの背面２ＲＲで半円形のフック２Ｈに支持される。また上述のように、半円形のフック２Ｈは、半円形の面の軸２ＨＡの周りでスプリング２１の自由な移動を提供する。そのような移動によって、図５（Ａ）と図６（Ａ）中に示されるように、スプリング２１は、ホルダ２Ｒに対してほとんど垂直の位置へスロット２３から伸びることができる。あるいは、図５（Ｂ）と図６（Ｂ）中に示すように、格納式ホルダ２Ｒとほとんど平行する位置へ押し上げることができる。好ましい実施例としてのスプリング２１は、円形の線からなるバネで、コイル２１Ｃ部分を持つように作られているものであるが、コイル部分のない水平なバネ材や、丸棒のバネ材で作ることもできる。また、半円形のフック２４に代えて異なるフック（図示せず）で支持することもでき。例えばヒンジ（図示せず）によって格納式ホルダ２Ｒに取り付けることもできる。またあるいは、引っ張る時の動作においてスプリングに自由回転を与えるための他の回転ジョイントを備えることもできる。
【００３２】
スプリング２１が狭い垂直のスロット２３を通って引かれ、かつ押し戻されるので、図５（Ｃ）や図６（Ａ）の中で示される透視図にスプリング２１Ｆの正面図として示すように、スプリングの正面形状を形成しても良い。すなわち、スロット２３を通ってスプリング２１の滑らかな移動を許容できる。カーブ２８は、さらに、スプリング・ガイド・プレート２０と凹部マウントボックス６の間のスペースへスプリング２１が滑らかに入り込むこと、あるいはスライドして戻ることを可能にする。また、後述するように、曲がったアーム２１Ａが格納式ホルダ２Ｒの保持力を増加させ、内部における押された位置を保持するようにできる。
【００３３】
格納式ホルダ２Ｒを引き抜き移動させている間、図５（Ａ）、図６（Ａ）で示すように、コイル２１Ｃを圧縮することにより、スプリング２１を引っ張る。ストッパ２１Ｓがスロット２３に掛かり、途中ずっとスプリング・ガイド・プレート２０からスプリング２１が偶然に外れることを防ぐ。
【００３４】
格納式ホルダ２Ｒが完全に引き抜かれる場合、４つのスプリング２１のアーム２１Ａが後方へ屈曲し、図４（Ａ）、図７（Ｂ）中で示すように、スロット２３の外部端２６に対してスプリングの反力によってしっかりと押し付けられる。スプリング・ガイド・プレート２０の方へ格納式ホルダ２Ｒを押し戻すか突くかして、アーム２１Ａを押してスライドさせ、スロット２３を通してその内側２９へ入れ、そしてスロット２３の内側２９の縁に対して解放されたアーム２１Ａを押し付けることにより、４つのすべてのスプリング２１について、巻き戻ろうとする力を解放する。そして、マウントボックス６の内方へ格納式ホルダ２Ｒを掛け止める力を作り出し、かつディスプレイ装置１００Ｒのリム１１３が、図９（Ｃ）で示すように壁１によって遮られるまで、あるいは格納式ホルダ２Ｒが、図４（Ｂ）、図５（Ｂ）、図６（Ｂ）及び図７（Ｃ）に示されるように、スプリング・ガイド・プレート２０によって止められるまで大きくする。いったんスプリング２１が、スプリング・ガイド・プレート２０とマウントボックス６の後部の間のスペースへスライドして戻ると、マウントボックス６の後部に対して押し付けられて曲がっているアーム２１Ａは、図５（Ｂ）で示すように、その押し戻された位置で格納式ホルダ２Ｒに掴む力を加える。
【００３５】
スプリングの巻き戻ろうとする力は、ディスプレイ装置１００Ｒのサイズ、重量及び形状に応じて、十分な掴む力を与えることができる。これは直径が異なるスプリング・ワイヤーを使用することにより達成できる。ばね材料の硬度及び弾力の選択によっても同様である。さらに、格納式ホルダ２Ｒは４つのスプリング２１を備えるものとして示してきたが、たった２つのスプリングしか使用せずに取り付けることもできる。一つはディスプレイ装置１００Ｒの左側に、もう一つは右側に配置するとよい。
【００３６】
あるいは、２つのスプリング２１で格納式ホルダ２Ｒを取り付けることができる。一つは格納式ホルダ２Ｒの頂部に、他の一つは対応するスロット２３を通してホルダ２Ｒの底部に、あるいは一つはスプリング・ガイド・プレート（図示していない）の頂部に、もう一つは底部に配置する。同様に、可能なのは、例えば、図４（Ａ）で示す４つのスプリング２１に加えて、さらに４つのスプリング２１を用い、格納式ホルダ２Ｒの頂部に２つ、及び底部に２つ配置することである。これはもちろん、スプリング・ガイド・プレート（図示しない）の頂部及び底部に追加する適切なスロット２３による。したがって、例えば、より高い保持力が必要な場合は、それぞれはより低い巻き戻り力あるいはより少ない数ではあるがより強力なスプリングを使用し、その個数を増やしてスプリングの２１の巻き戻る力を考慮することが可能である。あるいは、保持力が低くてよい場合、スプリング数及び巻き戻り力の双方を減少させてもよい。
【００３７】
別の重要な圧縮力及び力の計算は、格納式ホルダ２Ｒとディスプレイ装置１００Ｒの着脱に関する考慮である。上述のように、ディスプレイ装置１００Ｒを格納式ホルダ２Ｒへ取り付けあるいは取り外す際に、最初にマウントボックス６の方へ押し戻すには、掛け止めフック５から凸部１５Ａを解放する弾性接触装置３の弾性力に打ち勝つことが必要である。従って、弾性接触装置３の圧力を克服する力は、スロット２３をとしてスプリング２１を後ろにスライドさせて戻すのに必要な力や、スロット２３の端部の外面２６上へのスプリング２１の係合に打ち勝つために必要とされる力より小さく、ホルダ２Ｒを、その引き抜かれた位置（図４（Ａ）と図７（Ｂ）中で示す位置）に保持するものでなければならない。力の差は、格納式ホルダ２Ｒが引き抜き位置にある間に、格納式ホルダ２Ｒに対してディスプレイ装置１００Ｒを押し戻して装着し、あるいは取り外すことを可能にする。しかしながら、ディスプレイ装置１００Ｒを取り付けあるいは取り外しする間、格納式ホルダ２Ｒを引き出した位置に保持するためのストッパ（図示しない）を用いても良い。
【００３８】
図８（Ａ）及び（Ｂ）に、ホルダ２に面状のディスプレイ装置１００Ｓを取り付け、壁１にマウントする２つのステップを示す。図８（Ａ）で示す第一ステップは、図１（Ｂ）で示したディスプレイ装置１００Ｓのソケット１５を整列させることである。そして、第二のステップは、ディスプレイ装置１００Ｓをマウントし、それをホルダ２に押し付け、図８（Ｂ）で示すように、それを下方へスライドさせることである。これによって、ディスプレイ装置１００Ｓは、その凸部１５Ａ及びフック５のラッチ５Ａによって適所へ引っ掛けられる。そしてその、電気的及び信号の相互接続は、弾性を有する弾性接触装置３Ａ及び補助的な接触子１３Ａによって行われる。
【００３９】
ホルダ２からディスプレイ装置を取り去るステップは単純なものである。第一のステップとしては、図８（Ｃ）で示すように、壁の方へディスプレイ１００Ｓを押し戻し、ラッチ５Ａから凸部１５Ａを解放し、またディスプレイ装置を上方へスライドさせることである。
【００４０】
ディスプレイ装置を取り外すステップは本発明の別の非常に重要な項目である。取り外すステップを単純化することで、偶然に外れてしまうことや、それによるディスプレイ装置の損傷が生じ得る。このため、フック５のラッチ５Ａの複数化及びソケット１５の補助的な凸部１５Ａで、偶然の外れに対して必要な安全性向上を図っている。それにより、凸部１５Ａはすべて、すべてのラッチ５Ａから同時に解放されなければならず、そうしないとディスプレイ装置を上向きに持ち上げることがラッチ５Ａのうちの任意の一つによって妨げられる。したがって、図８（Ｃ）で示すように、４つのすべてのラッチ５Ａから凸部１５Ａをすべて解放するために、ディスプレイ装置１００Ｓ全体を壁１の方へ押さなければならない。また、すぐその後、図８（Ｄ）で示すように、ディスプレイをフック５から取り除いて、引き抜くことができ、それによって、偶然に外れないことを保証できるようになる。
【００４１】
図９（Ａ）で示す第１のステップは、格納式ホルダ２Ｒ上に凹部用ディスプレイ装置１００Ｒを取り付けるために位置合わせするステップである。格納式ホルダ２Ｒのフック５と、格納式ホルダ２Ｒを引き出した位置でしっかりと掴む４つのソケット１５を有し、ネジ２５によってスプリング・ガイド・プレート２０に取り付けてある凹状のマウントボックス６からすっかり引き出す。格納式ホルダ２Ｒを完全に引き出した状態で、４つのスプリング２１により係止される。
【００４２】
上述したディスプレイ装置１００Ｓの取り付けに似ているが、ディスプレイ装置１００Ｒを取り付ける次のステップは、ディスプレイ装置１００Ｒを格納式ホルダ２Ｒに押しつけ、そして、図９（Ｂ）で示すように、フック５のラッチ５Ａへソケット１５の凸部１５Ａをロックするために、ディスプレイ装置１００Ｒを下方へスライドさせる。
【００４３】
図９（Ｃ）で示す最終ステップは、ディスプレイ装置１００Ｒを後ろへ押して壁１とマウントボックス６へ押し付け、そして上に説明したように、リム１１３が壁１に係合し、スプリング２１がしっかりと壁１に対してディスプレイ装置１００Ｒのリム１１３を付勢するまで押し付け続ける。
【００４４】
格納式ホルダ２Ｒからディスプレイ装置１００Ｒを取り外し、あるいは取り去るのは、まず、ディスプレイ装置（格納式ホルダー２Ｒに取り付けられている）をマウントボックス６から引き外し、その後、格納式ホルダ２Ｒへディスプレイ装置を押し付け、図８（Ｃ）で示すディスプレイ装置１００Ｓ及び図８（Ｄ）と同様に、上方へスライドさせる（また）ステップを繰り返す。
【００４５】
壁１に直接触れているように示したリム１１３は、ボックス６の縁１２を覆う。一般に、凹所、例えばボックス６の内表面は完全には仕上げられていない。したがって、ボックス６の縁１２の近くにあるそのような不完全な仕上げの表面をすべて覆い得るようにするために、広いリム１１３を備えるようにすることが望ましい。あるいは、個別に装飾枠２１３を設けることも可能で、図１０（Ａ）で示すボックス６Ａの縁６Ｂのネジ穴６Ｃに、ネジ６Ｄをねじ込んで固定して取り付け得る。そのような構造では、壁１の上にそのような構造を取り付けることにより直接的にボックス６（図示しない）の表面を覆うために、あるいは図１０（Ａ）の分解組立図中で示す枠２１３のようにボックス６Ａを囲むために、装飾に適する構造を選択することが可能である。枠２１３は、ボックス６Ａあるいは壁に枠２１３を取り付けるために、刻み目のある表面２１３Ｂ及び穴２１３Ｃを含んでいる。刻み目のある表面２１３Ｂは、図１０（Ａ）で示すディスプレイ装置２００Ｒの縁２１３Ａに適合している。したがって、図１０（Ｂ）で示すように、ディスプレイ装置を取り付ける場合、使用されるネジ６Ｄあるいは他の固着具は完全にカバーされて見ることができなくなる。そのような構造によって、ボックスや壁に異なる美的デザインの枠を与えることができ、また異なる取り付け方法、構造を提示することができる。例えばディスプレイ装置と枠をマッチさせるため、フック、びょう、クランプあるいは接着剤や接着テープのような材料の使用が考えられ、そのために、設計には建築家とインテリアデザイナーを必要とし得る。
【００４６】
なお当業者にとって、ここで示された本発明の実施例が単なる一例であり、本発明が図示、説明したものに限定されないことが理解されよう。したがって、多数の変形例や修正例が考えられる。また、均等物が本発明の範囲から外れずに含まれる。
【図面の簡単な説明】
【００４７】
【図１】本発明の好ましい実施例の表面取り付け型のディスプレイ装置のマウントの斜視図である。
【図２】本発明の好ましい実施例の凹所取り付け型のディスプレイ装置のマウントの斜視図である。
【図３】弾性接触装置及び掛け金で締めるフックを使用する掛け止め方法を示す断面図である。
【図４】引き出し及び押し込み状態におけるスプリング・ガイドに取り付けた格納式ホルダの斜視図である。
【図５】引き出し及び押し込み状態におけるスプリングガイドマウント・プレートを備えるホルダの断面図と、スプリングの側面図及び正面図である。
【図６】スプリングと、図５Ａ、５Ｂのスプリングガイドマウント・プレートの斜視図である。
【図７】凹状のマウントボックスへのホルダの引き出し及び押し込み状態における分解斜視図である。
【図８】本発明の好ましい実施例における表面のタイプ・ディスプレイ装置のマウントへの取り付け、取り外し作業の具体例を示す斜視図である。
【図９】本発明の好ましい実施例における凹所に取り付けるタイプのディスプレイ装置の取り付け作業を示す斜視図である。
【図１０】凹所取り付けタイプのディスプレイ装置を包む装飾枠構造の斜視図である。
【符号の説明】
【００４８】
１：壁
２：ホルダ
２Ａ、２Ｂ：穴
２Ｃ：ネジ
２Ｈ：フック
２ＨＡ：軸
３：弾性接触装置
３Ａ：接点
３Ａ：弾性接触体
３ＡＡ：圧縮した接触子
５：フック
５Ａ：ラッチ
６：背面箱（マウントボックス）
６Ａ：ボックス
６Ｂ：縁
６Ｃ：ネジ穴
６Ｄ：ネジ
１２：ボックスの縁
１３Ａ：補助的な接触子
１４：プリント回路板
１５：ソケット
１５Ａ：凸部
２０：スプリング・ガイド・プレート
２１：スプリング・ガイド・プレート
２１：スプリング
２１Ａ：アーム
２１Ｃ：コイル
２１Ｆ：スプリング
２１Ｓ：ストッパ
２２：ネジ穴
２３：スロット
２３Ａ：切り欠き
２４：フック
２５：ネジ
２６：スロットの外部端
２８：カーブ
２９：スロットの内側
１００Ｓ：フラット・スクリーン・ディスプレイ
１００Ｒ：ディスプレイ装置
１１１：リヤカバー
１１１Ｃ：切り欠き
１１１Ｒ：ディスプレイ装置の背面
１１２：本体前面カバー
１１３：リム
２００Ｒ：ディスプレイ装置
２１３：装飾枠
２１３Ａ：縁
【図１】
0005207603.tif 000002
【図２】
0005207603.tif 000003
【図３】
0005207603.tif 000004
【図４】
0005207603.tif 000005
【図５】
0005207603.tif 000006
【図６】
0005207603.tif 000007
【図７】
0005207603.tif 000008
【図８】
0005207603.tif 000009
【図９】
0005207603.tif 000010
【図１０】
0005207603.tif 000011